(57)【要約】【課題】  階段用踏板の視認性および強度的耐久性に優れる。【解決手段】  階段用踏板３の上側前縁６に沿って設けられる水平溝８と、この水平溝８の両端から下向に延在し踏板の裏面５に達する縦孔１２とを有し、縦孔１２は、水平溝８の両端から外向きに傾斜して延在する傾斜孔１３と、これに連続する垂直方向の垂直孔１５とからなり、垂直孔１５内にＬＥＤ（光源）２０を設けるとともに、このＬＥＤ２０の上の垂直孔１５内および水平溝８内に可撓性を有する棒状発光体１８を挿入し、ＬＥＤ２０からの光が踏板裏面５および発光体１８を介して踏板表面４から出射するようにする。【選択図】              図１
2006176992.tif 000002
【特許請求の範囲】
【請求項１】
階段用踏板であって、該踏板の上側前縁に沿って設けられる水平溝と、該水平溝の少なくとも一方の端から下向に延在し前記踏板の裏面に達する縦孔と、該縦孔内に設けられる光源と、該光源の上に位置する縦孔内および前記水平溝内に挿入される可撓性を有する棒状の発光体とを備え、前記光源からの光が前記縦孔の下側開口部および前記発光体を介して前記水平溝の開口部から出射するようにしてなる階段用踏板。
【発明の詳細な説明】
【技術分野】
【０００１】
本発明は、照明装置を装備し夜間の上り下りを容易にする階段用踏板に関する。
【背景技術】
【０００２】
夜間、階段を上り下りする際に階段を踏み外さないようにするための照明装置を装備した階段用踏板としては、階段の各踏板の前縁に設けた滑り止め板の下に、水平方向前面と滑り止め板の上を照射する光源を設けたものが知られている（特許文献１）。
【０００３】
また、別の階段用踏板として、踏板の蹴込板より突出した先端部の幅方向裏面に凹部を設けるとともに、この凹部から踏板表面に連通する小孔を形成し、この凹部内に下の踏板を照らす照明器具を収納したものが知られている（特許文献２）。
【特許文献１】特開２００３−１４１９２８号公報
【特許文献２】実公平５−１４９７８号公報
【発明の開示】
【発明が解決しようとする課題】
【０００４】
しかしながら、上記前者の階段用踏板は、水平方向前面と滑り止め板の上を照射するものであるが、踏板を直接照射するものではないので踏板の視認性に欠けるおそれがあった。また、後者の階段は、階段の上り下りの際の大きな踏みつけ力が踏板の先端部にかかることが多く、かつ踏板裏面に大きな凹部ないし深い凹部を形成しているので、撓みや耐久性に十分な配慮が必要であった。
【０００５】
本発明の課題は、階段用踏板の視認性および強度的耐久性に優れることである。
【課題を解決するための手段】
【０００６】
上記課題を解決するため本発明は、階段用踏板であって、この踏板の上側前縁に沿って設けられる水平溝と、この水平溝の少なくとも一方の端から下向に延在し踏板の裏面に達する縦孔と、この縦孔内に設けられる光源と、この光源の上に位置する縦孔内および水平溝内に挿入される可撓性を有する棒状の発光体とを備え、光源からの光が縦孔の下側開口部および発光体を介して水平溝の開口部から出射するようにしてなることを特徴とする。
【０００７】
このようにすることにより、光源が発する光の一部は縦孔の下側開口部から出射する。この下側開口部がある踏板裏面から出射した光は主として蹴込板前面およびこの踏板の一つ下に位置する踏板の表面を照射する。また光の一部は発光体の端面から発光体内を伝達し、水平溝内に位置する発光体に達する。
【０００８】
さらに、水平溝内の発光体に達した光は、発光体の側面から散乱し水平溝の開口部から出射する。したがって、踏板の上側前縁近傍が視認できるようになる。このように光源の光は、踏板の上側前縁近傍と、踏板の奥側部分との両方を視認できるように出射するので、夜間、人が階段を上り下りするときに足を踏み外すことがほとんどなくなる。
【０００９】
次に本発明を構成する各要件についてさらに詳しく説明する。本発明の階段用踏板は、一般住宅や高齢者入居施設、病院あるいはその他の一般建物などの階段に好適に利用できる。
【００１０】
踏板の材質としては、木質系材料や各種合成樹脂材料が使用できる。踏板が木質系材料の場合は、無垢の木材、合板、集成材、単板積層材（ＬＶＬ）、木質繊維板（ＭＤＦなど）などを利用できる。木質系材料の表面は必要により突板、各種模様を形成した合成樹脂シートを貼着した化粧面とされる。
【００１１】
水平溝は、踏板の上側前縁に沿って形成されるが、その断面形状は特に限定されず、たとえば樋状の溝でも良い。水平溝の長さは少なくとも発光体の水平部分の長さに相当する長さとし、水平溝の長さを踏板の全幅としても良い。この場合、発光体の水平溝に挿入される部分（発光体の水平部分）を略踏板の全幅としても良い。水平溝の長さを踏板の全幅とすることにより水平溝の加工が容易になる。なお、踏板の上側前縁は踏板の表面の前側縁を指す。
【００１２】
縦孔は、少なくとも水平溝の一方の端から下向きに延在し踏板の裏面に達し、かつ裏面に開口する。具体的には水平溝の一方の端または両端から垂直方向に延在し踏板の裏面に達して開口するもの、水平溝の一方の端または両端から内向きまたは外向きに傾斜して延在し踏板の裏面に開口する傾斜孔、あるいは水平溝の一方の端または両端から内向きまたは外向きに傾斜して延在する傾斜孔と、これに連続する垂直方向の垂直孔とからなるものなどである。
【００１３】
発光体は、可撓性を有する棒状材料から形成され、上記水平溝または縦孔の開口部から挿入される。発光体は１本の棒状部材としても良いし、縦孔が水平溝の両端から各々延在する場合は左右二つに分けて２本の棒状部材を使用しても良い。発光体の構造、材質は、可撓性を有する棒状材料から形成され、発光体の端部木口から入射した光を発光体の側面から散乱させるものであれば特に限定されず、たとえば特開２００４−１４６２２５号公報に記載された光散乱体を利用できる。
【００１４】
光源は、縦孔内に設けられるが、縦孔内を過熱しないものであれば特に限定されない。白熱小電球、蛍光電球、ＬＥＤ（発光ダイオード）などである。光源への電気配線は、踏板内で光源に至る配線用孔または溝に設けても良い。
【発明の効果】
【００１５】
本発明によれば、光源の光は踏板の上側前縁に沿う表面と、踏板の下に位置する蹴込板前面や下の踏板表面を照射するので階段用踏板の視認性に優れる。さらに、踏板には強度上差し支えのない溝や孔を設けるので階段用踏板の強度的耐久性に優れる。
【発明を実施するための最良の形態】
【００１６】
以下、本発明に係る階段用踏板の実施形態を図面に基いて詳細に説明する。なお、図１〜５において、同一または同等部分には同一符号を付けて示す。
【実施例１】
【００１７】
図１は、実施例１に係る階段用踏板の正面側を示す断面図である。図２は、図１におけるＡ−Ａ線断面図である。実施例１の階段用踏板３は、一般住宅や高齢者入居施設あるいは病院などの階段に好適に利用できる。階段用踏板３は、矩形板状で踏板３の正面木口に沿って前側に蹴込板２７が略垂直に設けられる。
【００１８】
蹴込板２７の上部は、踏板の裏面５の前縁７から数ｃｍ離れた位置に形成された溝２６に嵌合する。踏板３や蹴込板２７の材質は、無垢の木材、合板、集成材、単板積層材（ＬＶＬ）、木質繊維板（ＭＤＦなど）などで、その表面は必要により突板、各種模様を形成した合成樹脂シートを貼着した化粧面とされる。
【００１９】
さらに、踏板３は、その上側前縁６に沿って設けられる水平溝８と、この水平溝８の両端から下向に延在し踏板３の裏面５に達する縦孔１２とを備える。水平溝８は、踏板前縁６から数ｍｍ、たとえば６ｍｍ離れた位置に前縁６に沿って形成され、その断面形状は樋状の溝で、その幅はたとえば７ｍｍである。水平溝８の長さｂは少なくとも発光体の水平部分の長さに相当する長さとし、たとえば４５０〜５００ｍｍとする。縦孔１２は、水平溝８の両端から前縁６に沿って外向きに傾斜して延在する傾斜孔１３と、これに連続する垂直方向の垂直孔１５とからなる。
【００２０】
さらに、垂直孔１５内に光源であるＬＥＤ（発光ダイオード）２０を設けるとともに、このＬＥＤ２０の上の垂直孔１５内および水平溝８内に可撓性を有する棒状発光体１８を挿入し、ＬＥＤ２０からの光が垂直孔の開口部１６および発光体１８を介して水平溝の開口部９から出射するようにする。
【００２１】
発光体１８は、可撓性を有する棒状部材から形成され、発光体の端部木口から入射した光を発光体の側面から散乱させるものであれば特に限定されないが、たとえば特開２００４−１４６２２５号公報に記載された光散乱体、すなわちチューブ状クラッド材と、この中に収容されチューブ状クラッド材よりも屈折率の大きい非晶質コア材とからなる光散乱体を利用できる。
【００２２】
図２に示すように、水平溝８内に挿入された発光体１８の上には細長板状の上カバー２３が設けられる。上カバー２３の上面は、踏板の表面４より０．５〜１．５ｍｍ程度低くなるように形成され滑り止めとされる。また、階段の滑り止めとして、水平溝８の他に、水平溝８から数ｍｍ、たとえば３ｍｍ離れた位置に２ｍｍ幅の細溝１０、水平溝８から８ｍｍ離れた位置に２ｍｍ幅の細溝１１が形成され、水平溝８と２本の細溝１０、１１の３本の溝により滑り止めとされる。
【００２３】
また、垂直孔の開口部１６に正方形または円形板状の下カバー２４が設けられる。上カバー２３および下カバー２４は、光を透過させる材料から形成され、たとえばアクリル樹脂などが使用される。さらに、上カバー２３および下カバー２４自体は、透明でも良いが、着色したものや光を散乱させる凹凸を表面に形成したものまたは光を分散させる粉体を混合したものなどを使用することもできる。なお、上カバー２３および下カバー２４は、それぞれ踏板に対して着脱自在に形成されると良い。
【００２４】
発光体１８は、可撓性を有する棒状部材であるので、水平溝の開口部９または垂直孔の開口部１６から挿入される。発光体１８は１本の棒状部材としても良いし、左右二つに分けて２本の棒状部材を使用しても良い。
【００２５】
図３は、図１におけるＢ−Ｂ線断面図である。光源としてはＬＥＤ２０を使用するが、ＬＥＤ２０への電気配線は、踏板の裏面５にＬＥＤ２０に至る配線用溝２２を形成するとともに、蹴込板２７の上部を切り欠き、この配線用溝２２に電気配線２９を通しても良い。また、ＬＥＤ２０への電気配線として、踏板の片側木口１７（図４に表示）からＬＥＤ２０に至る配線用溝または配線用孔（図示せず）を設けて電気配線しても良い。なお、ＬＥＤ２０の基端側には充填材２５を詰めて固定しても良い。
【００２６】
図４は、図１における踏板３の平面図である。踏板の表面４側には、幅ｂ＝４５０〜５００ｍｍの水平溝８と２本の細溝１０、１１が形成される。細溝１０、１１は、踏板３の幅Ｗに渡って形成される。
【００２７】
以上の構造を有する実施例１の階段は、次のように作用する。すなわち、図１に示すように、ＬＥＤ２０が発する光の一部は垂直孔の下側開口部１６から出射する。この下側開口部１６から出射した光は主として蹴込板２７（図２）前面および一つ下に位置する踏板の表面を照射する。また光の一部は発光体の端面１９から発光体１８内を伝達し、水平溝８内に位置する発光体１８に達する。
【００２８】
さらに、水平溝８内の発光体１８に達した光は、この発光体の側面から散乱し、水平溝の開口部９から出射する。したがって、踏板３の上側前縁６近傍を視認できるようにする。このようにＬＥＤ２０の光は、踏板の上側前縁６近傍と、踏板３の奥側部分との両方を視認できるように照射するので、夜間、人が階段を上り下りするときに足を踏み外すことがほとんどなくなる。
【実施例２】
【００２９】
図５は、実施例２の階段用踏板の平面図である。実施例２の階段用踏板３は、水平溝８の長さを踏板の幅Ｗとしたものである。こうすると３本の溝８、１０、１１が踏板の幅Ｗに渡って形成され、踏板３の全幅Ｗに渡って滑り止めの効果が向上する。さらに水平溝８を幅Ｗに渡って形成することにより、水平溝８は回転刃を使用することにより短時間に精度良く形成される。
【００３０】
実施例２の階段用踏板３においては、水平溝８が踏板３の幅Ｗに渡って形成され、かつ発光体１８の水平部分の長さ（または幅）はｂである。しかし、本実施形態はこれに限定されず、発光体１８の水平部分の長さを略踏板の幅Ｗとなるように設け、かつ幅Ｗの水平溝の両端から内側下方に縦孔１２を設けるとともに、この縦孔内にも発光体１８を設けるようにしても良い。図５におけるその他の構造と作用は図１〜４に示した実施例１の階段と同じであるので、その説明を省略する。
【００３１】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００３２】
本発明の階段用踏板は、一般住宅や高齢者入居施設あるいは病院などの階段に利用可能である。
【図面の簡単な説明】
【００３３】
【図１】本発明に係る階段用踏板の正面側を示す断面図である。
【図２】図１におけるＡ−Ａ線断面図である。
【図３】図１におけるＢ−Ｂ線断面図である。
【図４】図１における踏板の平面図である。
【図５】別の階段用踏板の平面図である。
【符号の説明】
【００３４】
３  踏板
４  表面
５  裏面
６  上側前縁
８  水平溝
９  開口部
１２  縦孔
１３  傾斜孔
１５  垂直孔
１６  開口部
１８  発光体
２０  ＬＥＤ（光源）
２７  蹴込板
【図１】
2006176992.tif 000003
【図２】
2006176992.tif 000004
【図３】
2006176992.tif 000005
【図４】
2006176992.tif 000006
【図５】
2006176992.tif 000007